(57)【特許請求の範囲】
【請求項１】
無線受信装置と、無線信号のチャンネルを複数使用可能な無線送信装置と、で構成される緊急通報システムにおいて、
前記無線送信装置は、
緊急通報を行う場合に操作される通報手段と、
無線信号のチャンネルを設定する場合に操作される設定手段と、
設定されたチャンネルの周波数を記憶する周波数記憶手段と、
無線信号を送信する無線送信部と、
前記通報手段が操作されると、前記周波数記憶手段に記憶されているチャンネルの周波数にて前記無線送信部から緊急通報を示す信号を送信させ、一方、前記設定手段が所定時間継続して操作され設定されるチャンネル設定モードにおいて前記設定手段によりチャネルの変更操作が行われると、前記周波数記憶手段に記憶されていた変更前のチャンネルの周波数にて前記無線送信部からチャンネルが変更された旨の信号を送信させる制御部と、
を備え、
前記無線受信装置は、
無線信号を受信する無線受信部と、
表示部と、
前記無線受信部が前記無線送信部からチャンネルが変更された旨の信号を受信したときに前記表示部にその旨を報知させる制御部と、
を備えたことを特徴とする緊急通報システム。
【発明の詳細な説明】
【０００１】
【発明の属する技術分野】
本発明は、無線緊急通報システム等に使用される無線送信装置に関する。
【０００２】
【従来の技術】
小電力無線等の電波や赤外線を使用した無線送信システムでは、無線信号の周波数が他の無線機器から発信される無線信号と同一の周波数の場合に混信が発生する恐れがある。そのため、無線送信器は周波数の異なる複数個の送信チャンネルを有し、その複数のチャンネルから１つのチャンネルを選択して設定し、無線信号を送信するようにしている。
【０００３】
そして、そのチャンネルにて通信状態が良くない場合には、送信チャンネルを変更設定できるようにしている。
【０００４】
一方、無線受信器においても、無線送信器と同じ複数の受信チャンネルを有し、無線送信器の送信チャンネルと同じチャンネルに設定されて無線信号を受信できるようにしている。
【０００５】
このような無線送信器では不用意にチャンネルの設定・変更がされないように、機器の内部にチャンネルの設定スイッチを有しているのが一般的である。
【０００６】
【発明が解決しようとする課題】
しかし、無線送信器が、例えば防水構造になっている場合等では、無線送信器の筐体が密封構造になっており、容易に機器の内部を空けることができないようになっている。従って、このような無線送信器では、機器の内部に設定スイッチを設けることができないので、機器の表面に設定スイッチを設け、この設定スイッチを操作することによりチャンネルの設定・変更を行うようになっているものがある。
【０００７】
このような、機器の表面にチャンネル設定スイッチがある無線送信器では、無線送信器を使用する使用者がチャンネルの変更操作を行う意志がないにも拘らず、設定スイッチが他のものにあたって押されるなどして、偶発的にチャンネルの変更操作が行われてしまう恐れがある。
【０００８】
そして、偶発的に送信チャンネルが変更されてしまうと、無線受信器にてその無線周波数の信号を受信することができなくなるという問題があった。
【０００９】
本発明は上記従来の課題に鑑みなされたものであり、その目的は、無線送信器において不用意に送信チャンネルの変更操作が行われたとしても、その変更操作を無線受信器に送信することにより、送信チャンネルの変更があったことを漏れなく報知することができる無線送信器を提供することにある。
【００１０】
【課題を解決するための手段】
上記目的を達成するために、本発明は、無線受信装置と、無線信号のチャンネルを複数使用可能な無線送信装置と、で構成される緊急通報システムにおいて、前記無線送信装置は、緊急通報を行う場合に操作される通報手段と、無線信号のチャンネルを設定する場合に操作される設定手段と、設定されたチャンネルの周波数を記憶する周波数記憶手段と、無線信号を送信する無線送信部と、前記通報手段が操作されると、前記周波数記憶手段に記憶されているチャンネルの周波数にて前記無線送信部から緊急通報を示す信号を送信させ、一方、前記設定手段が所定時間継続して操作され設定されるチャンネル設定モードにおいて前記設定手段によりチャネルの変更操作が行われると、前記周波数記憶手段に記憶されていた変更前のチャンネルの周波数にて前記無線送信部からチャンネルが変更された旨の信号を送信させる制御部と、を備え、前記無線受信装置は、無線信号を受信する無線受信部と、表示部と、前記無線受信部が前記無線送信部からチャンネルが変更された旨の信号を受信したときに前記表示部にその旨を報知させる制御部と、を備えたことを特徴とする。
【００１１】
上記構成によれば、チャンネルが変更された場合に、周波数記憶手段に記憶されていた変更前のチャンネルの周波数にてチャンネルが変更された旨の信号を送信するので、送信チャンネルの変更を漏れなく報知できる。
【００１２】
【発明の実施の形態】
以下、本発明の好適な実施の形態を図面に基づいて説明する。
【００１３】
図１には、緊急通報装置に適用された本発明に係る無線送信器の機能ブロック図が示される。
【００１４】
図１において、無線送信器１０は、操作手段１２を有しており、操作手段１２は、使用者に救急事態が発生した時に押下する救急スイッチ１４及び無線送信器１０の背面に設けられ、復旧信号を送信する場合や送信チャンネルを変更する場合に操作する設定スイッチ１６にて構成されている。設定スイッチ１６は、本発明に係る設定手段を構成する。
【００１５】
また、周波数記憶部１８には、設定スイッチ１６にて設定された送信チャンネルの周波数が記憶されている。周波数記憶部１８は、本発明に係る周波数記憶手段を構成する。
【００１６】
さらに、表示部２０は、ブザー２２及びＬＥＤ２４から構成されており、所定の鳴動及び表示を行う。
【００１７】
上記各部の制御は、制御部２６により行われる。この制御部２６は、例えば４ビット１チップマイコンにて構成されている。
【００１８】
無線送信部２８は、制御部２６から入力された送信データを小電力無線データに変換し、設定スイッチ１６により設定された送信チャンネルの周波数にて無線信号を送出する。
【００１９】
図２には、本実施例の無線受信器の機能ブロック図が示される。
【００２０】
図２において、無線受信器３０は、無線受信部３２を有しており、無線送信器１０から送信された無線信号を受信し、受信データに変換して制御部３４に入力する。
【００２１】
また、操作部３６は、送信チャンネルの設定やその他通報先の電話番号の設定等を行うもので、例えばテンキースイッチ等で構成されている。表示部３８は、警報ブザーや警報表示ランプから構成されており、所定の表示及び鳴動を行う。
【００２２】
さらに、警報送信部４０は、通信回線４２を介して遠隔の警備センターと接続されており、無線受信器３０が無線送信器１０から受信した非常信号やチャンネル変更信号を警備センターに送信する。
【００２３】
上記各部の制御は、制御部３４により行われる。この制御部３４は、例えば４ビット１チップマイコンにて構成されている。また、制御部３４には、記憶部４４が接続されている。記憶部４４には、救急スイッチ１４が押されたことを示す非常信号とチャンネルが変更された旨を示すチャンネル変更信号とが記憶されている。
【００２４】
次に、無線送信器１０を使用して無線信号を送出する場合の動作を説明する。無線送信器１０はペンダント型であり、常時は使用者の首から下げるなどして携帯される。そして使用者は、急病になるなどの救急事態が発生したときに、無線送信器１０の救急スイッチ１４を押す。
【００２５】
救急スイッチ１４が押されると、無線送信器１０の制御部２６がこれを検知して非常信号を作成し、無線送信部２８に入力する。
【００２６】
無線送信部２８では、制御部２６から入力された非常信号を送信信号に変換し、設定スイッチ１６により予め設定され、周波数記憶部１８に記憶されていた送信チャンネルの周波数にて無線信号を送出する。
【００２７】
また、設定スイッチ１６により送信チャンネルが変更された場合には、制御部２６がチャンネルが変更された旨を示すチャンネル変更信号を作成し、無線送信部２８に入力する。
【００２８】
無線送信部２８では、制御部２６から入力されたチャンネル変更信号を送信信号に変換し、設定スイッチ１６により予め設定され、周波数記憶部１８に記憶されていた送信チャンネルの周波数にて無線信号を送出する。この場合の送信チャンネルは、設定スイッチ１６により変更される前のチャンネルが使用される。
【００２９】
その後、設定スイッチ１６により変更され設定された新たな送信チャンネルの周波数が周波数記憶部１８に記憶される。
【００３０】
図２に示された無線受信器３０では、無線送信器１０に設定されているチャンネルの周波数と同じ周波数の無線信号を受信できるようにチャンネルが設定されている。そして、無線送信器１０から送信された無線信号を無線受信部３２が受信すると、制御部３４は、記憶部４４に予め記憶されている非常信号とチャンネル変更信号とに基づき、受信した信号がどちらの信号かを識別する。識別された信号は、警報送信部４０にて図示していない警備センターに通信回線４２を介して送信される。
【００３１】
次に、図３に示されるフローチャートを参照して、無線送信器１０の送信チャンネルを変更する動作を説明する。
【００３２】
無線信号を送信しているチャンネルと同じ周波数帯域の電波が周囲で発生していた場合、無線送信器１０から発信された電波を無線受信器３０で受信できない場合がある。
【００３３】
そのため、無線送信器１０及び無線受信器３０では送受信のために使用するチャンネルを複数用意しており、あるチャンネルでの通信状態の悪い場合にはスイッチ操作で他のチャンネルに切り換えて無線送信するようにしている。
【００３４】
図３において、操作者は、まず無線送信器の設定スイッチ１６を予め設定されている時間例えば１０秒以上押しつづける（Ｓ１）。
【００３５】
設定スイッチ１６が押されると、押されている時間が制御部２６にて計時され、１０秒経過すると（Ｓ２）、３秒間ブザー２２が鳴動されＬＥＤ２４が点灯される（Ｓ３）。操作者は、３秒間のブザー２２の鳴動及びＬＥＤ２４の点灯により、無線送信器１０の動作モードがモニターモードに設定されたと判断して設定スイッチ１６の押下げを止める。
【００３６】
このときに、設定スイッチ１６の押下げが継続されて１５秒以上押され続けると、モニターモードは設定されずに、もとの状態に復帰する（Ｓ４）。
【００３７】
設定スイッチ１６の押下げが１０秒以上１５秒未満の場合に、無線送信器１０の動作モードがモニターモードに設定され、現在設定されているチャンネルをブザー２２及びＬＥＤ２４の点灯にて表示する。例えば、チャンネル３に設定されている場合には、１秒間のブザー鳴動、ＬＥＤ点灯と１秒間のブザー停止、ＬＥＤ消灯を３回繰り返す（Ｓ５）。
【００３８】
そして、その後にモニターモードからチャンネル設定モードに移行するとともに、３秒間のブザー２２の鳴動及びＬＥＤ２４の点灯を行いその旨操作者に知らせる（Ｓ６）。
【００３９】
操作者は３秒間のブザー２２の鳴動及びＬＥＤ２４の点灯によりチャンネル設定モードに設定されたことが判るので、その後所望のチャンネル番号の回数だけ設定スイッチ１６を押す（Ｓ７）。このとき１回に押す時間は３秒以内とする（Ｓ８）。
【００４０】
無線送信器１０は、設定スイッチ１６が押される毎に１秒間ブザー２２の鳴動及びＬＥＤの２４の点灯を行い、操作者に表示するとともに設定スイッチ１６の操作回数をカウントする（Ｓ９）。
【００４１】
操作者は、所望のチャンネル番号の回数だけ設定スイッチ１６の押下げ操作を行った後、そのチャンネルを確保するために設定スイッチ１６を３秒以上押下げる。無線送信器１０は、設定スイッチ１６が３秒以上継続して押され続けると、変更後のチャンネルを確定するとともにチャンネル設定モードを終了させ、３秒間ブザー２２の鳴動とＬＥＤ２４の点灯を行い、操作者に表示する（Ｓ８、Ｓ１０）。
【００４２】
無線送信器１０の制御部２６は、チャンネル設定モードが終了すると、チャンネル変更信号を作成し、無線送信部２８に入力する。チャンネル変更信号が入力されると、無線送信部２８はチャンネル変更操作前のチャンネルにてチャンネル変更信号を無線送信する（Ｓ１１）。
【００４３】
チャンネル変更信号の送信を完了すると、制御部２６は周波数記憶部１８に記憶されている送信チャンネルの周波数を、先に設定操作された新たなチャンネルの周波数に変更する（Ｓ１２）。
【００４４】
以後、無線送信部２８は、その新たに設定されたチャンネルの周波数を使用して無線信号を送信する。
【００４５】
なお、無線送信器１０の送信チャンネルを変更する際には、通常無線受信器３０のチャンネルも無線送信器１０に対応した受信チャンネルに変更設定操作を行う。従って、無線送信器１０と無線受信器３０の双方での送信チャンネルと受信チャンネルが一致し、無線信号の通信が正常に行われる。
【００４６】
ここで、操作者の意図的なチャンネル変更操作ではなく、設定スイッチ１６が何等かの原因で押され、偶発的にチャンネル設定モードになりチャンネルの変更が行われた場合、操作者が送信チャンネルが変更されたことに気付かないと、無線受信器３０のチャンネル変更操作が行われないので、変更後の無線送信器１０から送信された無線信号は、無線受信器３０で受信できないことになる。
【００４７】
しかし、本実施の形態においては、無線送信器１０にてチャンネルの変更が行われると、前述のように変更前のチャンネルにてチャンネル変更信号が送出される。従って、このチャンネル変更信号は変更前のチャンネルで受信している無線受信器３０により受信することができる。これにより、無線受信器３０は警報ブザーの鳴動や警報表示ランプにより表示部３８への表示を行い、操作者にチャンネルが変更されたことを報知することができる。
【００４８】
また、チャンネル変更信号は警報送信部４０にて遠隔の警備センターに送出することができるので、無線送信器１０の使用者が操作に不慣れな場合であっても、警備センターから対処員が派遣されて無線送信器１０と無線受信器３０のチャンネルを一致させることができる。
【００４９】
【発明の効果】
以上説明したように、本発明による無線送信器によると、不用意に無線周波数が変更されたとしても、無線受信器にて確実に周波数の変更を認識することができるので、その後周波数を一致させるように変更操作が可能となる。
【図面の簡単な説明】
【図１】本発明に係る無線送信器の機能ブロック図である。
【図２】本発明に係る無線受信器の機能ブロック図である。
【図３】図１の無線送信器の送信チャンネルを変更する動作を示すフローチャートである。
【符号の説明】
１０  無線送信器、１２  操作手段、１４  救急スイッチ、１６  設定スイッチ、１８  周波数記憶部、２０  表示部、２２  ブザー、２４  ＬＥＤ、２６  制御部、２８  無線送信部、３０  無線受信器、３２  無線受信部、３４  制御部、３６  操作部、３８  表示部、４０  警報送信部、４２  通信回線、４４  記憶部。
【図１】
0003575877.tif 000002
【図２】
0003575877.tif 000003
【図３】
0003575877.tif 000004